(57)【要約】【課題】様々な態様に対応することが可能であると共に、折りたたんだ際に極力フラットな形態をなすことが可能な物干し具を提供すること。【解決手段】この物干し具１は、物干し棒１１４とそれを支持するための一対の支持棒１１１，１１２とを有する第一物干し部材１１と、物干し棒１２４とそれを支持するための一対の支持棒１２１，１２２とを有する第二物干し部材１２と、を備え、第一物干し部材１１と第二物干し部材１２とは対応する互いの支持棒同士が回転自在に軸支され、第一物干し部材１１と第二物干し部材１２とが収納状態位置にある場合に、第一物干し部材１１と第二物干し部材１２との干渉を避けることが可能なように、第一物干し部材１１を構成する支持棒１１１，１１２が屈曲して形成されている【選択図】  図１
0003139041.tif 000002
【実用新案登録請求の範囲】
【請求項１】
物干し棒と該物干し棒を支持するための一対の支持棒とを有する第一物干し部材と、物干し棒と該物干し棒を支持するための一対の支持棒とを有する第二物干し部材と、を備え、
前記第一物干し部材と前記第二物干し部材とは対応する互いの支持棒同士が回転自在に軸支され、互いの支持棒同士が交わる使用状態位置と、互いの支持棒同士が沿う収納状態位置と、に位置することが可能なように構成されており、
前記第一物干し部材と前記第二物干し部材とが収納状態位置にある場合に、前記第一物干し部材と前記第二物干し部材との干渉を避けることが可能なように、前記第一物干し部材を構成する支持棒が屈曲して形成されていること
を特徴とする物干し具。
【請求項２】
前記第一物干し部材を構成する支持棒は、前記第一物干し部材を構成する物干し棒を支持する側が、前記第二物干し部材を構成する物干し棒に向かう方向とは逆方向に屈曲して形成されていることを特徴とする請求項１に記載の物干し具。
【請求項３】
前記第一物干し部材を構成する支持棒は、少なくとも前記第二物干し部材を構成する物干し棒の太さに相当する量が屈曲されていることを特徴とする請求項２に記載の物干し具。
【請求項４】
前記第一物干し部材及び前記第二物干し部材はそれぞれ、前記一対の支持棒を連結する連結棒を備え、前記第一物干し部材を構成する支持棒及び前記第二物干し部材を構成する支持棒の一方が他方の内側に位置すると共に、内側に位置する支持棒によって構成される方の連結棒が他方の連結棒よりも内側に位置するように配置されていることを特徴とする請求項１乃至請求項３のうち、いずれか１に記載の物干し具。
【請求項５】
前記第一物干し部材及び前記第二物干し部材のそれぞれにおいて、前記一対の支持棒の一端を繋ぐように前記物干し棒が配置され、前記一対の支持棒の他端を繋ぐように前記連結棒が配置されていることを特徴とする請求項４に記載の物干し具。
【請求項６】
前記第一物干し部材を構成する支持棒及び前記第二物干し部材を構成する支持棒の内、内側に位置するように配置されている支持棒が他方よりも長くなるように構成されていることを特徴とする請求項４又は請求項５に記載の物干し具。
【請求項７】
前記第一物干し部材を構成する支持棒が、前記第二物干し部材を構成する支持棒よりも内側に位置するように配置されていることを特徴とする請求項６に記載の物干し具。
【請求項８】
前記第一物干し部材を構成する物干し棒及び前記第二物干し部材を構成する物干し棒の少なくとも一方が、前記第一物干し部材を構成する支持棒及び前記第二物干し部材を構成する支持棒よりも外側まで延びていることを特徴とする請求項１乃至請求項７のうち、いずれか１に記載の物干し具。
【請求項９】
前記第一物干し部材を構成する物干し棒及び前記第二物干し部材を構成する物干し棒の少なくとも一方が、伸縮可能なように構成されていることを特徴とする請求項８に記載の物干し具。
【考案の詳細な説明】
【技術分野】
【０００１】
本考案は、洗濯物などを干す際に用いられる物干し具に関する。
【背景技術】
【０００２】
洗濯物などを干す際に用いられる物干し具の一例として、物干し棒と該物干し棒を支持するための一対の支持棒とを有する物干し部材を一対設け、互いに対応する支持棒を回動自在に軸支する物干し具が提案されている（下記特許文献１参照）。
【０００３】
【特許文献１】実用新案登録第３１２８１７３号公報
【考案の開示】
【考案が解決しようとする課題】
【０００４】
上記従来の技術では、物干し部材同士が互いに沿うように折りたたんで収納するものであるため、なるべくフラットに折りたためるように、一方の物干し部材が他方の物干し部材の内側に位置するように構成されている。より具体的には、折りたたんだ際に、一方の物干し部材を構成する支持棒を他方の物干し部材を構成する支持棒の内側に位置するように配置すると共に、一方の物干し部材を構成する物干し棒を他方の物干し部材を構成する物干し棒の内側に位置するように配置している。
【０００５】
ところで、物干し具を構成する物干し棒の態様は、上記従来の技術における態様のみならず様々な態様を採用することが求められている。また、物干し具を構成する支持棒についても強度面の観点等から様々な態様を採用することが求められている。
【０００６】
しかしながら、上述したように上記従来の技術では、物干し具を構成する物干し棒や支持棒の態様がある程度限定されてしまうために、このような多様なニーズに十分には応えることができなかった。
【０００７】
そこで本考案では、様々な態様に対応することが可能であると共に、折りたたんだ際に極力フラットな形態をなすことが可能な物干し具を提供することを目的とする。
【課題を解決するための手段】
【０００８】
上記課題を解決するために本考案に係る物干し具は、物干し棒と該物干し棒を支持するための一対の支持棒とを有する第一物干し部材と、物干し棒と該物干し棒を支持するための一対の支持棒とを有する第二物干し部材と、を備え、前記第一物干し部材と前記第二物干し部材とは対応する互いの支持棒同士が回転自在に軸支され、互いの支持棒同士が交わる使用状態位置と、互いの支持棒同士が沿う収納状態位置と、に位置することが可能なように構成されており、前記第一物干し部材と前記第二物干し部材とが収納状態位置にある場合に、前記第一物干し部材と前記第二物干し部材との干渉を避けることが可能なように、前記第一物干し部材を構成する支持棒が屈曲して形成されていることを特徴とする。
【０００９】
また、本考案に係る物干し具によれば、第一物干し部材と記第二物干し部材とが収納状態位置にある場合に、第一物干し部材を構成する支持棒が第二物干し部材を避けることが可能なように第一物干し部材を構成している。従って、例えば第一物干し部材を構成する支持棒の一方を、第二物干し部材を構成する支持棒の一方の外側に配置したとしても、第一物干し部材を構成する支持棒が屈曲形成されているため、第一物干し部材を構成する支持棒の主たる部分と第二物干し部材を構成する支持棒とを互いに沿わせてフラットに折りたたむことができる。また、例えば、第一物干し部材を構成する支持棒を第二物干し部材を構成する支持棒の内側に配置する一方で、第一物干し部材を構成する物干し棒を第二物干し部材を構成する物干し棒の外側に配置したとしても、第一物干し部材を構成する支持棒が屈曲形成されているため、その支持棒と第二物干し部材を構成する物干し棒との干渉を避けて、第一物干し部材を構成する支持棒の主たる部分と第二物干し部材を構成する支持棒とを互いに沿わせてフラットに折りたたむことができる。従って、本考案によれば、様々な態様に対応することが可能であると共に、折りたたんだ際に極力フラットな形態をなすことが可能な物干し具を提供できる。
【００１０】
また、本考案に係る物干し具では、前記第一物干し部材を構成する支持棒は、前記第一物干し部材を構成する物干し棒を支持する側が、前記第二物干し部材を構成する物干し棒に向かう方向とは逆方向に屈曲して形成されていることも好ましい。
【００１１】
この好ましい態様によれば、第一物干し部材を構成する支持棒は、物干し棒を支持する側において屈曲しており、その屈曲量は第二物干し部材を構成する物干し棒に向かう方向とは逆方向なので、より確実に第一物干し部材を構成する支持棒が第二物干し部材を避けることが可能となる。従って、様々な態様に対応することが可能であると共に、折りたたんだ際に極力フラットな形態をなすことが可能な物干し具を提供できる。
【００１２】
また、本考案に係る物干し具では、第一物干し部材を構成する支持棒は、少なくとも前記第二物干し部材を構成する物干し棒の太さに相当する量が屈曲されていることも好ましい。
【００１３】
この好ましい態様によれば、第一物干し部材を構成する支持棒が、第二物干し部材を構成する物干し棒の太さに相当する量が屈曲されているので、必要十分な屈曲量を確保することができる。従って、様々な態様に対応することが可能であると共に、折りたたんだ際に極力フラットな形態をなすことが可能な物干し具を提供できる。
【００１４】
また、本考案に係る物干し具では、前記第一物干し部材及び前記第二物干し部材はそれぞれ、前記一対の支持棒を連結する連結棒を備え、前記第一物干し部材を構成する支持棒及び前記第二物干し部材を構成する支持棒の一方が他方の内側に位置すると共に、内側に位置する支持棒によって構成される方の連結棒が他方の連結棒よりも内側に位置するように配置されていることも好ましい。
【００１５】
この好ましい態様によれば、第一物干し部材及び第二物干し部材のそれぞれにおいて一対の支持棒を連結する連結棒を備えているので、第一物干し部材及び第二物干し部材それぞれの強度をより一層高めることができる。また、第一物干し部材を構成する支持棒及び第二物干し部材を構成する支持棒の一方が他方の内側に位置すると共に、内側に位置する支持棒によって構成される方の連結棒が他方の連結棒よりも内側に位置するように配置されているので、例えば、内側の支持棒が外側の支持棒よりも長くなるように形成したとしても、第一物干し部材を構成する支持棒が屈曲して形成されているので、第一物干し部材を構成する支持棒の主たる部分と第二物干し部材を構成する支持棒とを互いに沿わせてフラットに折りたたむことができる。従って、この好ましい態様によれば、様々な態様に対応することが可能であると共に、折りたたんだ際に極力フラットな形態をなすことが可能であって、更に十分な強度を確保することが可能な物干し具を提供できる。
【００１６】
また、本考案に係る物干し具では、前記第一物干し部材及び前記第二物干し部材のそれぞれにおいて、前記一対の支持棒の一端を繋ぐように前記物干し棒が配置され、前記一対の支持棒の他端を繋ぐように前記連結棒が配置されていることも好ましい。
【００１７】
この好ましい態様によれば、一対の支持棒の一端を繋ぐように物干し棒が配置され、一対の他端を繋ぐように物干し棒が配置されているので、一対の支持棒と物干し棒と連結棒によって第一物干し部材及び第二物干し部材をそれぞれ矩形枠状に形成することができ、より強度が向上する。従って、この好ましい態様によれば、様々な態様に対応することが可能であると共に、折りたたんだ際に極力フラットな形態をなすことが可能であって、更に十分な強度を確保することが可能な物干し具を提供できる。
【００１８】
また、本考案に係る物干し具では、前記第一物干し部材を構成する支持棒及び前記第二物干し部材を構成する支持棒の内、内側に位置するように配置されている支持棒が他方よりも長くなるように構成されていることも好ましい。
【００１９】
この好ましい態様によれば、第一物干し部材を構成する支持棒及び第二物干し部材を構成する支持棒の内、内側に位置するように配置されている支持棒が他方よりも長くなるように構成されているので、使用状態において、内側に配置されている方の物干し棒を他方の物干し棒よりも高い位置に配置することができる。従って、この好ましい態様によれば、様々な態様に対応することが可能であると共に、折りたたんだ際に極力フラットな形態をなすことが可能な物干し具を提供できる。
【００２０】
また、本考案に係る物干し具では、前記第一物干し部材を構成する支持棒が、前記第二物干し部材を構成する支持棒よりも内側に位置するように配置されていることも好ましい。
【００２１】
この好ましい態様によれば、内側に配置される第一物干し部材の支持棒が屈曲することになるので、屈曲した支持棒間の距離を短くすることができる。従って、この物干し具を折りたたんだ場合に、突出した部分の幅を短くすることができるので、よりコンパクトに収納できる。従って、この好ましい態様によれば、様々な態様に対応することが可能であると共に、折りたたんだ際に極力フラットな形態をなすことが可能な物干し具を提供できる。
【００２２】
また、本考案に係る物干し具では、前記第一物干し部材を構成する物干し棒及び前記第二物干し部材を構成する物干し棒の少なくとも一方が、前記第一物干し部材を構成する支持棒及び前記第二物干し部材を構成する支持棒よりも外側まで延びていることも好ましい。
【００２３】
この好ましい態様によれば、第一物干し部材を構成する物干し棒及び第二物干し部材を構成する物干し棒の少なくとも一方が支持棒よりも外側まで延びているので、実際に物が干せる長さをより有効に長く確保することができる。また、そのように物干し棒が延びていたとしても、第一物干し部材を構成する支持棒が屈曲しているため、第一物干し部材と第二物干し部材との干渉を回避できる。従って、この好ましい態様によれば、様々な態様に対応することが可能であると共に、折りたたんだ際に極力フラットな形態をなすことが可能な物干し具を提供できる。
【００２４】
また、本考案に係る物干し具では、前記第一物干し部材を構成する物干し棒及び前記第二物干し部材を構成する物干し棒の少なくとも一方が、伸縮可能なように構成されていることも好ましい。
【００２５】
この好ましい態様によれば、第一物干し部材を構成する物干し棒及び第二物干し部材を構成する物干し棒の少なくとも一方が伸縮可能なように構成されているので、折りたたんで収納する際によりコンパクトな形態とすることができる。従って、この好ましい態様によれば、様々な態様に対応することが可能であると共に、折りたたんだ際に極力フラットな形態をなすことが可能な物干し具を提供できる。
【考案の効果】
【００２６】
本考案によれば、様々な態様に対応することが可能であると共に、折りたたんだ際に極力フラットな形態をなすことが可能な物干し具を提供できる。
【考案を実施するための最良の形態】
【００２７】
以下、添付図面を参照しながら本考案の好適な実施の形態について説明する。説明の理解を容易にするため、各図面において同一の構成要素に対しては可能な限り同一の符号を付して、重複する説明は省略する。
【００２８】
本考案の実施形態に係る物干し具について図１を参照しながら説明する。図１は、物干し具１の使用状態における斜視図である。図１に示すように物干し具１は、第一物干し部材１１と、第二物干し部材１２と、棚１３と、ストッパ布１４とを備えている。
【００２９】
第一物干し部材１１は、物干し棒１１４と、その物干し棒１１４を支持するための一対の支持棒１１１，１１２と、一対の支持棒１１１，１１２を連結するための連結棒１１３とを有している。一対の支持棒１１１，１１２はそれぞれ、一端が物干し棒１１４に接続されており、他端が連結棒１１３に接続されている。従って、物干し棒１１４と、支持棒１１１，１１２と、連結棒１１３とによって、矩形枠状の第一物干し部材１１が形成されている。換言すれば、一対の支持棒１１１，１１２の一端を繋ぐように物干し棒１１４が配置され、一対の支持棒１１１，１１２の他端を繋ぐように連結棒１１３が配置されている。本実施形態の場合、支持棒１１１，１１２と連結棒１１３とは、パイプ状の部材を折り曲げて一体的に形成されているが、必ずしも一体的に形成する必要はなく、例えば、支持棒１１１と、支持棒１１２と、連結棒１１３と、をそれぞれ別体の棒状部材で構成し、支持棒１１１及び支持棒１１２と連結棒１１３との間には、コーナー部材を介在させて接続するように構成してもよい。
【００３０】
物干し棒１１４は、本体部分１１４ａと、延伸部分１１４ｂと、延伸部分１１４ｃとを有している。本体部分１１４ａは中空パイプ状の部材で構成されている。本体部分１１４ａの両端の開口部にはそれぞれ、延伸部分１１４ｂと延伸部分１１４ｃとが配置されており、例えば、延伸部分１１４ｂ又は延伸部分１１４ｃを、本体部分１１４ａに対して一定方向に回転させると本体部分１１４ａから徐々に突出して伸張し、反対方向に回転させると本体部分１１４ａへ徐々に収納されて縮小するように、本体部分１１４ａと、延伸部分１１４ｂ，１１４ｃとがねじ構造を形成するようにするなどして、進退自在となっている。
【００３１】
本体部分１１４ａの両端にはそれぞれ、支持棒１１１と支持棒１１２とが接続されている。従って、物干し棒１１４は、支持棒１１１，１１２よりも外側まで延びている。また、物干し棒１１４は伸縮可能なように構成されている。図１の場合は、延伸部分１１４ｂが本体部分１１４ａから最も延出し、延伸部分１１４ｃが本体部分１１４ａに最も入り込んでいる状態を示している。
【００３２】
支持棒１１１は、第一部分１１１ａと、屈曲部分１１１ｂと、第二部分１１１ｃとを有している。第一部分１１１ａは直線棒状の部材によって構成されており、その一端が連結棒１１３に接続されている。第一部分１１１ａの他端には屈曲部分１１１ｂが繋がれて、例えば一体的に形成されている。屈曲部分１１１ｂは直線棒状の部材によって構成されており、第二物干し部材１２に向かう方向とは逆方向に屈曲して第一部分１１１ａに繋がれている。屈曲部分１１１ｂには第二部分１１１ｃが繋がれて、一体的に形成されている。第二部分１１１ｃは、第一部分１１１ａと略平行となるように配置されている。
【００３３】
支持棒１１２は、第一部分１１２ａと、屈曲部分１１２ｂと、第二部分１１２ｃとを有している。第一部分１１２ａは直線棒状の部材によって構成されており、その一端が連結棒１１３に接続されている。第一部分１１２ａの他端には屈曲部分１１２ｂが繋がれて、例えば一体的に形成されている。屈曲部分１１２ｂは直線棒状の部材によって構成されており、第二物干し部材１２に向かう方向とは逆方向に屈曲して第一部分１１２ａに繋がれている。屈曲部分１１２ｂには第二部分１１２ｃが繋がれて、一体的に形成されている。第二部分１１２ｃは、第一部分１１２ａと略平行となるように配置されている。
【００３４】
第二物干し部材１２は、物干し棒１２４と、その物干し棒１２４を支持するための一対の支持棒１２１，１２２と、一対の支持棒１２１，１２２を連結するための連結棒１２３とを有している。一対の支持棒１２１，１２２はそれぞれ、一端が物干し棒１２４に接続されており、他端が連結棒１２３に接続されている。従って、物干し棒１２４と、支持棒１２１，１２２と、連結棒１２３とによって、矩形枠状の第二物干し部材１２が形成されている。換言すれば、一対の支持棒１２１，１２２の一端を繋ぐように物干し棒１２４が配置され、一対の支持棒１２１，１２２の他端を繋ぐように連結棒１２３が配置されている。本実施形態の場合、支持棒１２１，１２２と連結棒１２３とは、パイプ状の部材を折り曲げて一体的に形成されているが、必ずしも一体的に形成される必要がないことは、第一物干し部材１１と同様である。
【００３５】
物干し棒１２４は、本体部分１２４ａと、延伸部分１２４ｂと、延伸部分１２４ｃとを有している。本体部分１２４ａは中空パイプ状の部材で構成されている。本体部分１２４ａの両端の開口部にはそれぞれ、延伸部分１２４ｂと延伸部分１２４ｃとが、進退自在に配置されている。本体部分１２４ａの両端にはそれぞれ、支持棒１２１と支持棒１２２とが接続されている。従って、物干し棒１２４は、支持棒１２１，１２２よりも外側まで延びている。また、物干し棒１２４は、前述の第一物干し部材１１の場合と同様にして、伸縮可能なように構成されている。図１の場合は、延伸部分１２４ｃが本体部分１２４ａから最も延出し、延伸部分１２４ｂが本体部分１２４ａに最も入り込んでいる状態を示している。
【００３６】
支持棒１２１，１２２は、直線棒状の部材によって構成されており、その一端が連結棒１１３に接続され、他端が物干し棒１２４の本体部分１２４ａに接続されている。
【００３７】
第一物干し部材１１と第二物干し部材１２とは、軸支部１５，１６によって回転自在に軸支されている。より具体的には、第一物干し部材１１を構成する支持棒１１１が第二物干し部材１２を構成する支持棒１２１よりも内側に配置されており、支持棒１１１の略中央部分と、支持棒１２１の略中央部分とが軸支部１５によって回転自在に軸支されている。また、第一物干し部材１１を構成する支持棒１１２が第二物干し部材１２を構成する支持棒１２２よりも内側に配置されており、支持棒１１２の略中央部分と、支持棒１２２の略中央部分とが軸支部１６によって回転自在に軸支されている。
【００３８】
第一物干し部材１１を構成する連結棒１１３の略中央部分と、第二物干し部材１２を構成する連結棒１２３の略中央部分とは、ストッパ布１４によって繋がれている。ストッパ布の長さは、図１に示す使用状態において第一物干し部材１１と第二物干し部材１２とが適切な位置に配置されるように定められている。なお、本実施形態においてストッパ布１４は、布製のものを示したが、使用状態において第一物干し部材１１と第二物干し部材１２とが適切な位置に配置されたときに、緊張した状態における張力をもって前記位置に固定ないし保持できるものであればよく、布製に限定されることはない。例えば、可撓製を有するものであればよいため、樹脂製、紐製等、適宜採択可能である。
【００３９】
棚１３は、第一物干し部材１１を構成する支持棒１１１と支持棒１１２との間に配置されている。棚１３は、回転軸１３１によって支持棒１１１に軸支され、回転軸１３２によって支持棒１１２に軸支されている。棚１３には更に、回転軸１３１側にストッパ１３３が、回転軸１３２側にストッパ１３４がそれぞれ設けられている。図１に示す使用状態において、ストッパ１３３は第二物干し部材１２を構成する支持棒１２１に、ストッパ１３４は第二物干し部材１２を構成する支持棒１２２に、それぞれ当接することで棚１３が略水平となるように構成されている。
【００４０】
物干し具１を折りたたんで収納状態とした様子を図２に示す。尚、図２では、ストッパ布１４の記載を省略している。なお、図２においては、図示の簡略化のため、ストッパ布１４は省略した。図２に示すように、第一物干し部材１１を構成する支持棒１１１と第二物干し部材１２を構成する支持棒１２１とが沿うように、また第一物干し部材１１を構成する支持棒１１２と第二物干し部材１２を構成する支持棒１２２とが沿うように、物干し具１を折りたたむと、第一物干し部材１１を構成する連結棒１１３が第二物干し部材１２を構成する連結棒１２３の内側に入り込む。図２に示すように物干し具１を折りたたむと、棚１３は、第一物干し部材１１及び第二物干し部材１２に沿って折りたたまれる。
【００４１】
図２に示すように、物干し具１を折りたたむ際に、第一物干し部材１１と第二物干し部材１２とは干渉しないように、第一物干し部材１１を構成する支持棒１１１及び支持棒１１２が屈曲して形成されている。
【００４２】
図３は、図２に示すように収納状態となった物干し具１を支持棒１１２側から見た側面図である。なお、図３においては、図示の簡略化のため、ストッパ布１４は省略した。
【００４３】
図３に示すように、支持棒１１２は、第一部分１１２ａと、屈曲部分１１２ｂと、第二部分１１２ｃとを有している。第一部分１１２ａには屈曲部分１１２ｂが繋がれおり、屈曲部分１１２ｂには第二部分１１２ｃが繋がれている。屈曲部分１１２ｂは、第二物干し部材１２に向かう方向とは逆方向に、少なくとも第二物干し部材１２を構成する物干し棒１２４の太さに相当する量を屈曲して形成されている。
【００４４】
支持棒１１２を構成する第二部分１１２ｃは、物干し棒１１４が物干し棒１２４よりも外側に位置するような長さに設定されている。従って、支持像１１２は支持棒１２２よりも長くなるように構成されている。支持棒１１１と支持棒１２１との長さの関係も同様である。
【図面の簡単な説明】
【００４５】
【図１】本実施形態に係る物干し具を示す斜視図である。
【図２】図１に示す物干し具を折りたたんだ様子を示す斜視図である。
【図３】図２に示す物干し具を横から見た側面図である。
【符号の説明】
【００４６】
１    物干し具
１１    第一物干し部材
１２    第二物干し部材
１３    棚
１４    ストッパ布
１５    軸支部
１６    軸支部
１１１    支持棒
１１２    支持棒
１１３    連結棒
１１４    物干し棒
１２１    支持棒
１２２    支持棒
１２３    連結棒
１２４    物干し棒
１１１ａ  第一部分
１１１ｂ  屈曲部分
１１１ｃ  第二部分
１１２ａ  第一部分
１１２ｂ  屈曲部分
１１２ｃ  第二部分
１１４ａ  本体部分
１１４ｂ  延伸部分
１１４ｃ  延伸部分
１２４ａ  本体部分
１２４ｂ  延伸部分
１２４ｃ  延伸部分
【図１】
0003139041.tif 000003
【図２】
0003139041.tif 000004
【図３】
0003139041.tif 000005